(57)【要約】      （修正有）【課題】特別の熟練や経験又は専用の治具を要さずに、容易に線材を枠体に緩みなく張り渡すことができる固定構造及び該固定構造を備えた食材分割装置を提供する。【解決手段】食材分割装置１は、開口部２１を有した枠体２と、開口部上を通過するように枠体の第１箇所Ｐ１から第２箇所Ｐ２までフック部２４に引っ掛けられて張り渡される線材３とを備える。第１・第２箇所Ｐ１，Ｐ２の少なくとも一方には、穴２２と、穴に適合した形状を成すピン４とが設けられる。線材の一端３ａはピンに巻き付けられた状態でピンとともに穴に挿入される。穴の断面形状が多角形を成し、ピンもこれに対応した断面形状を有することが好ましい。【選択図】図１
0003209811.tif 000002
【実用新案登録請求の範囲】
【請求項１】
開口部を有した枠体と、
該開口部上を通過するように前記枠体の第１箇所から第２箇所まで張り渡される線材と、
を備えた食材分割装置であって、
第１・第２箇所の少なくとも一方には穴と、該穴に適合した形状を成すピンと、が設けられ、かつ、
前記線材の一端は前記ピンに巻き付けられた状態で該ピンとともに前記穴に挿入されることを特徴とする食材分割装置。
【請求項２】
前記穴の断面形状が多角形を成すことを特徴とする請求項１に記載の食材分割装置。
【請求項３】
前記ピンには、胴部と、前記胴部の一端側に蓋部と、が設けられ、
前記胴部には、前記線材の前記一端が巻き付けられ、
前記蓋部には、前記胴部よりも外周方向に突出した外縁が設けられ、かつ、
前記蓋部は、前記胴部と前記穴との間に挿入された前記線材が前記穴から抜け出すことを防ぐように前記穴を覆うことを特徴とする請求項１又は２に記載の食材分割装置。
【請求項４】
第１・第２箇所のいずれにも、前記穴と前記ピンとが設けられることを特徴とする請求項１〜３のいずれかに記載の食材分割装置。
【請求項５】
第１・第２箇所が前記枠体の対向する辺上に設けられることを特徴とする請求項１〜４のいずれかに記載の食材分割装置。
【請求項６】
前記枠体には少なくとも１つのフック部が設けられ、かつ、前記線材は、第１・第２箇所との間で、前記フック部に引っ掛けられて該線材の方向が変更されることを特徴とする請求項１〜５のいずれかに記載の食材分割装置。
【請求項７】
前記食材分割装置が、ゆで卵、バター、果物、蒟蒻、又は、ところてんから選択された食材の分割が可能な装置であることを特徴とする請求項１〜６のいずれかに記載の食材分割装置。
【考案の詳細な説明】
【技術分野】
【０００１】
本考案は、一般家庭において、ゆで卵、バター、ところてん等の食材をカット（分割）するための金属線材（ワイヤー）を備えた食材分割装置に関し、より詳しくは、金属線材を装置枠体に固定する新規な張架構造を有した食材分割装置に関する。
【背景技術】
【０００２】
一般家庭で、ゆで卵やバター等の食材を切断又は分割する際には包丁が使用されるが、より簡便に分割するための専用の切断器具が入手可能である。これらの専用の切断器具には、開口部を有した枠体に所定の間隔で張り巡らした金属ワイヤー（金属線材）で食材を分割するものが存在する。例えば、ゆで卵を分割するための器具として、特許文献１や２が開示されており、バターを分割するための器具として、特許文献３が開示されている。
【０００３】
このような金属線材を用いた従来の器具では、線材の両端を枠体の一部（例えば、図６（ｃ）に示す突起２ｐや図示しない穴）に縛り付けた構造が一般的である。しかしながら、このような一般的な固定構造では、両端での線材の縛り目が緩んだり、この弛緩により食材を等間隔に分割できなかったりするなどの使用上の不具合が指摘されていた。この使用上の不具合を無くそうと、線材を枠体の一部に力強く縛り付け過ぎると、線材が断線してしまうなどの製造上の不具合も指摘されていた。
【０００４】
従来器具の製造上の上記不具合を解消する方法として、例えば、図６（ａ）及び（ｂ）に示すように、枠体２を収容する溝部１０１を設け、枠体２の対向する辺（例えば、図示の上下方向又は左右方向に互いに向かい合う辺）が近づく（内側に弾性変形する）ように、枠体２の外側から内側へ外力（つまり、テンション）を掛けながら枠体２を保持できる張力調節具１０２が設けられた固定用治具１００の利用が挙げられる。
【０００５】
このような固定用治具１００で一時的に固定した枠体２に線材３を張り渡していけば、左程きつく縛り付けていかなくても該枠体２を該治具１００から取り外せば、該枠体２は上述のテンションから解放されて元の形状に戻るように弾性変形することから、枠体２上の線材３に更なる張力が掛かり、線材３を枠体２に緩み無くぴんと張り渡された状態に置くことができる（図６（ｃ）を参照）。
【０００６】
しかしながら、各製品（線材を用いた分割装置）の形状・寸法毎に固定用治具１００を製作・用意する必要があった。たとえ、このような固定用治具１００を利用できたとしても、製作時の線材３の張り渡し作業は作業者の熟練や経験を要するものであり、不慣れな作業者では線材３の断線や緩みの不具合が発生していた。
【先行技術文献】
【特許文献】
【０００７】
【特許文献１】特開２００６−１７５５２９号公報
【特許文献２】特開２００３−２６６３７３号公報
【特許文献３】登実第３１７１５３９号
【考案の概要】
【考案が解決しようとする課題】
【０００８】
本考案は、このような実情に鑑みて提案されたものであり、特別の熟練や経験又は専用の治具を要さずに、容易に線材を枠体に緩みなく張り渡すことができる固定構造及び該固定構造を備えた食材分割装置を提供することを目的とする。
【課題を解決するための手段】
【０００９】
すなわち、本考案は、例えば、次の構成・特徴を採用するものである。
（態様１）
開口部を有した枠体と、
該開口部上を通過するように前記枠体の第１箇所から第２箇所まで張り渡される線材と、
を備えた食材分割装置であって、
第１・第２箇所の少なくとも一方には穴と、該穴に適合した形状を成すピンと、が設けられ、かつ、
前記線材の一端は前記ピンに巻き付けられた状態で該ピンとともに前記穴に挿入されることを特徴とする食材分割装置。
（態様２）
前記穴の断面形状が多角形を成すことを特徴とする態様１に記載の食材分割装置。
（態様３）
前記ピンには、胴部と、前記胴部の一端側に蓋部と、が設けられ、
前記胴部には、前記線材の前記一端が巻き付けられ、
前記蓋部には、前記胴部よりも外周方向に突出した外縁が設けられ、かつ、
前記蓋部は、前記胴部と前記穴との間に挿入された前記線材が前記穴から抜け出すことを防ぐように前記穴を覆うことを特徴とする態様１又は２に記載の食材分割装置。
（態様４）
第１・第２箇所のいずれにも、前記穴と前記ピンとが設けられることを特徴とする態様１〜３のいずれかに記載の食材分割装置。
（態様５）
第１・第２箇所が前記枠体の対向する辺上に設けられることを特徴とする態様１〜４のいずれかに記載の食材分割装置。
（態様６）
前記枠体には少なくとも１つのフック部が設けられ、かつ、前記線材は、第１・第２箇所との間で、前記フック部に引っ掛けられて該線材の方向が変更されることを特徴とする態様１〜５のいずれかに記載の食材分割装置。
（態様７）
前記食材分割装置が、ゆで卵、バター、果物、蒟蒻、又は、ところてんから選択された食材の分割が可能な装置であることを特徴とする態様１〜６のいずれかに記載の食材分割装置。
【考案の効果】
【００１０】
本考案の食材分割装置によれば、線材が巻き付けられた前記ピンを枠体の穴に挿入する際に、前記線材が適度に引っ張られながら前記ピンと前記穴との間に圧入（固定）されるため、特別の熟練や経験又は専用の治具（上述のような固定用治具）を要さずに、容易に（誰でも簡単に）線材を枠体に緩みなく張り渡すことができる。従って、線材の断線や緩み等の製造上の不具合を減らすことができる。
【００１１】
以上のように製造時に線材が圧入・固定された食材分割装置によれば、装置使用時（つまり、食材分割時）においても、線材は高い張力で枠体に保持されているため、切れ味よく食材を分割できるし、装置を繰り返し使用しても線材が緩むことも少ない。
【００１２】
また、本考案の食材分割装置は、線材の緩みを発見した際においても、ピンを取外して、線材をピンに巻き直してから再度、挿入（圧入）するだけで良いので、場所を選ばず、専用治具も要らずに作業（再調整）できるので、本装置のメンテナンスの面でも非常に優れている。
【図面の簡単な説明】
【００１３】
【図１】食材分割装置を製作する手順１を説明するための図である。
【図２】食材分割装置を製作する手順２及び３を説明するための図である。
【図３】食材分割装置を製作する手順４〜６を説明するための図である。
【図４】枠体の穴に仮置きされて線材が巻き付いたピンと、その後、完全に圧入されたピンの断面を示した図である。
【図５】バターカッターとしての食材分割装置の分解斜視図を示した図である。
【図６】従来の線材の張架方法における枠体にテンションを与えながら保持できる固定用治具と、この治具によって枠体に張架された従来の線材を示した図である。
【考案を実施するための形態】
【００１４】
以下、本考案を図面に示す実施例に基づき説明するが、本考案は、下記の具体的な実施例に何等限定されるものではない。なお、各図において同一又は対応する要素には同一符号を用いる。
【実施例】
【００１５】
（食材分割装置の用途）
次に、本考案の実施例について説明する。本実施例に係る食材分割装置１は、一般家庭にてバターを手軽に分割するためのバターカッターである（図５も参照）。なお、本考案は、本実施例の用途や食材に限定されず、本考案の装置１をバター以外の食材（例えば、ゆで卵、バター、果物、蒟蒻、ところてん）を分割（切断）するための装置としても適用できる。
【００１６】
（食材分割装置の主要構成要素）
食材分割装置１（以下、単に「本装置」又は「装置」とも呼ぶ。）は、開口部２１を有した枠体２と、該開口部２１上を通過するように枠体２の第１箇所Ｐ１から第２箇所Ｐ２に張り渡される線材３と、を備える。なお、線材３は、防錆性を有した金属製のものが好ましいが、金属以外の材質のものを使用してもよい。
【００１７】
（挿入ピン）
第１・第２箇所Ｐ１，Ｐ２の少なくとも一方には穴２２と、穴２２に適合した形状を成す胴部４１を有したピン４と、が設けられる。線材３の一端３ａ（図示では、両端３ａ，３ｂ）は、ピン４の胴部４１に巻き付けられた状態で該胴部４１とともに穴２２に挿入されることを特徴とする。これにより、線材３の一端３ａ，３ｂは、ピン４を枠体２の穴２２に挿入する際に、適度に引っ張られながらピン４と穴２２との間に圧入（固定）されることになるため、特別の熟練や経験又は専用の治具（上述のような固定用治具）を要さずに、容易に（誰でも簡単に）線材３を枠体２に緩みなく張り渡すことができる。
【００１８】
（挿入ピンの好適な形態）
ここで、穴２２の断面形状が多角形を成し、ピン４もこの穴２２に対応した多角形を成すことが好ましい。図示の実施例では、穴２２の断面形状が６角形を成すが、必ずしもこれに限定されない。これにより、線材３を枠体２に張り渡す際や、完成後の装置１の使用時（食材の切断時）に、ピン４（の胴部４１）に一端３ａが巻き付けられた線材３に外力が掛かり、ピン４を回転させる力が生じても、該穴２２がピン４をしっかりとグリップ（堅持）するため、ピン４が穴２２中で空転することを防ぐことができる。
【００１９】
（挿入ピンの蓋部）
ピン４には、胴部４１の長手方向の一端側に蓋部４２が更に設けられることが好ましい。この蓋部４２には、胴部４１よりも外周方向に突出した外縁４４が設けられることが好ましく、これにより、蓋部４２は、胴部４１と穴２２との間に挿入された線材３が穴２２から抜け出すことを防ぐように穴２２を覆うことが可能となる。
【００２０】
なお、図示の実施例のピン４は、互いに外径の異なる胴部４１及び蓋部４２を備えるが、胴部４１及び蓋部４２の形状に対応してこれらを完全に収容してグリップできるように、穴２２には段差２２ａも設けられている（図１（ｂ）及び図４（ａ）も参照）。
【００２１】
また、図示の実施例のように、第１・第２箇所Ｐ１，Ｐ２のいずれにも、穴２２とピン４とが設けられることが好ましい。これにより、線材３の両端３ａ，３ｂを本考案の新規なロック構造（つまり、穴２２とピン４）で枠体２に容易に取り付けることができるため、装置１の製造やメンテナンスをさらに容易にし、ひいては、これらの要する時間も著しく減らすことができる。但し、この好適な実施例に限らず、例えば、一方の第１箇所Ｐ１にだけ本考案のロック構造を設けて線材３を取り付け、他方の第２箇所Ｐ２には図示しない公知の構造で線材３を取り付けるようにしてもよい。
【００２２】
また、第１・第２箇所Ｐ１，Ｐ２（つまり、上述の穴２２やピン４を設置する位置）が枠体２の対向する辺（例えば、図示のように辺２ａ及び２ｃ、又は辺２ｂ及び２ｄ）上に設けられることが好ましい。これにより、開口部２１（の一端から他端まで）の広い範囲を通過するように、線材３を枠体２にきつく張り渡すことができる。
【００２３】
（線材曲折用のフック部）
枠体２には少なくとも１つのフック部２４，２５が設けられ、かつ、線材３は、第１・第２箇所Ｐ１，Ｐ２との間で、フック部２４，２５に引っ掛けられて該線材３の進行方向が変更されることが好ましい。これにより、線材３を所望の方向に折り曲げたり、所定の間隔で平行に並ぶように張り渡したりすることができ、バターやゆで卵などの食材を、所望の形状・寸法に分割（切断）できるようになる。
【００２４】
（線材の枠体への張架（取付）方法）
次に、枠体２への線材３の張架方法を段階的（手順毎）に説明する。
【００２５】
（手順１  ピン挿入前段階）
先ず、図１（ａ）及び（ｂ）に示すように、対向する辺２ａ，２ｃに穴２２が設けられた枠体２と、該穴２２に挿入される前のピン４と、を別々に用意する（手順１）。本実施例では、枠体２の辺２ｂ，２ｄに設けられた一連（多数）のフック部２４で線材３を折り返して、上記の辺２ｂ，２ｄの間を所定ピッチで何度も往来させた配置とするため、一対の穴２２，２２と一対のピン４，４とが用意されている。本実施例では、さらに、別の第２線材３’（図５も参照）を用意して、枠体２の辺２ａ，２ｃに設けられた一対のフック部２５で第２線材３’を折り返して、上記の辺２ａ，２ｃの間で第２線材３’を張架できるように一対の穴２３，２３と一対の図示しないピンとが用意されている。
【００２６】
（手順２  ピンの仮置き段階）
次に、図２（ａ）に示すように、一対のピン４，４を対応するそれぞれの穴２２，２２に軽く挿入する（手順２）。この際に、蓋部４２の直ぐ下の胴部４１，４１の一部が露出するよう、胴部４１，４１を穴２２に完全に挿入していない仮置き状態でピン４，４を差し込んでいることに留意されたい。
【００２７】
（手順３  一方のピンへの線材の巻き付け段階）
次に、図２（ｂ）に示すように、上述のように穴２２，２２に仮置きされたピン４，４の一方から、線材３を巻き付けていく（手順３）。具体的には、線材３の一端３ａを、ピン４の蓋部４２の中央に設置（刻設）された溝４３に挿通させた後、その一端３ａより内側の線材３の部分を胴部４１の周囲に何回か巻き付けていく。これにより、巻き付いた線材３がピン４から抜けにくくなり、その後の圧入等の製作工程も容易になる。ここで、上述の胴部４１への線材３の良好な巻付けの為に、溝４３の深さが蓋部４２上面から胴部４１にまで入り込む程度に刻設されていることが好ましい（図４（ｂ）を参照）。
【００２８】
（手順４  フック部でのピンの折り返し段階）
上述の手順３によって、線材３の一端３ａが一方のピン４によって枠体２の第１箇所Ｐ１に巻き付けることができたので、次に、図２（ｂ）に示すように、線材３の残部を引っ張りながらフック部２４（本実施例では、対抗する辺に設けられた一連のフック部２４）に線材３を引っ掛けることで、線材３の進行方向を変更する。図示の例では、フック部２４によって線材３が１８０°曲折され、枠体２の開口部２１に亘って等間隔に並ぶように配線される（図３（ａ）も参照）。
【００２９】
（手順５  他方のピンへの線材の巻き付け段階）
上述の手順４によって一連のフック部２４に線材３を掛け終えた後に、図３（ａ）に示すように、第２箇所Ｐ２における他方の穴２２に仮置きされたピン４に線材３の他端３ｂを巻き付ける（手順５）。
【００３０】
（手順６  穴へのピンの本固定（圧入）段階）
手順１〜５までの工程により双方のピン４，４への線材３の巻付けが完了した後、図３（ｂ）に示すように、蓋部４２の外縁４４が、穴２２の開口部に入り込んで該開口部を完全に覆う（蓋をする）ように、線材３を巻き付けた胴部４１を穴２２に圧入する（手順６）。これにより、ピン４の胴部４１と穴２２との間に線材を圧入・固定することができる。
【００３１】
なお、上記手順１〜６と同様の手順で、図示しないピンを用いて、上述の第２線材３’を穴２３，２３に巻き付け、フック部２５，２５に引っ掛けるようにしてもよい。このように第２線材３’張架することで、線材３と第２線材３’とが枠体２の開口部２１を縦横に往来するように配線することができる。
【００３２】
以上のように線材３が張り渡された枠体２は食材を分割するためのカッター部分となる。本装置１は、図５に示すように、この枠体２の上面から、バター等の食材（図示せず）を押す装置カバー５と、線材３によって細かく分割された食材を保管するための保管容器６と、を備えるようにしてもよい。なお、図５に示すように、枠体２には、穴２２，２３、ピン４、フック部２４，２５などの線材張架構造を上方から覆う保護カバー２６が取り付けられてもよい。
【産業上の利用可能性】
【００３３】
本考案の食材分割装置によれば、線材が巻き付けられた前記ピンを枠体の穴に挿入する際に、前記線材が適度に引っ張られながら前記ピンと前記穴との間に圧入（固定）されるため、特別の熟練や経験又は専用の治具（上述のような固定用治具）を要さずに、容易に（誰でも簡単に）線材を枠体に緩みなく張り渡すことができる。従って、線材の断線や緩み等の製造上の不具合を減らすことができる。
【００３４】
このように、本考案の食材分割装置は、産業上の利用価値及び産業上の利用可能性が非常に高い。
【符号の説明】
【００３５】
１    食材分割装置（バターカッター）
２    枠体
２ａ，２ｂ，２ｃ，２ｄ    枠体を構成する辺
３，３’    線材（第２線材）
３ａ，３ｂ    線材の端部
４    ピン
５    装置カバー
６    保管容器
２１    枠体の開口部
２２，２３    枠体に設けられた穴
２２ａ    穴に形成された段差
２４，２５    枠体に設けられたフック部
２６    枠体に取り付けられた保護カバー
４１    ピンの胴部
４２    ピンの蓋部
４３    蓋部に設けられた溝
４４    蓋部の外縁
１００    従来の枠体固定用治具
１０１    枠体を収容するための溝部
１０２    張力調節具
Ｐ１，Ｐ２    枠体に穴を設ける箇所
【図１】
0003209811.tif 000003
【図２】
0003209811.tif 000004
【図３】
0003209811.tif 000005
【図４】
0003209811.tif 000006
【図５】
0003209811.tif 000007
【図６】
0003209811.tif 000008